(57)【要約】【課題】盗聴器発見装置の提供。【解決手段】盗聴器発見装置は、隠蔽された盗聴器をモニタリングするもので、ボイス発生装置、デコード識別装置、及び制御装置を含む。ボイス発生装置は特定ボイス信号を発し、盗聴器のマイクの受信によって盗聴器の無線発信機は相対する無線信号を発する。デコード識別装置は無線信号を受信し、無線信号に対してデコードを行い、デコードボイス信号を取得する。制御装置はボイス発生装置及びデコード識別装置に各々連接し、ボイス発生装置が発した特定ボイス信号を規定し、またデコード識別装置が発したデコードボイス信号が特定ボイス信号に対応するか否かを判断し、盗聴器の存在有無を決定する。【選択図】図２
2008228263.tif 000002
【特許請求の範囲】
【請求項１】
隠蔽された盗聴器をモニタリングする盗聴器発見装置において、
特定ボイス信号を発し、盗聴器のマイクの受信によって、盗聴器の無線発信機が相対応する無線信号を発するボイス発生装置と、
無線信号を受信し、その無線信号に対してデコードを行い、デコードボイス信号を取得するデコード識別装置と、
ボイス発生装置及びデコード識別装置にそれぞれ連接し、ボイス発生装置で発した特定ボイス信号を規定し、デコード識別装置が発したデコードボイス信号が特定ボイス信号に対応するか否かを判断し、盗聴器の存在有無を決定する制御装置を含むことを特徴とする盗聴器発見装置。
【請求項２】
請求項１記載の盗聴器発見装置において、前記制御装置は、多数個のスイッチ及び多数個の発光ダイオードを含み、これら多数個のスイッチは設定の異なるスイッチ状態で盗聴器発見装置の使用方式を制御し、これら多数個の発光ダイオードは異なる表示状態で盗聴器発見装置の使用方式を表示する表示及びタッチキー入力ユニットと、
ボイス発生装置、表示及びタッチキー入力ユニットにそれぞれ連接し、ボイス制御出力、表示制御と入力切替、及び受信制御とデーター入力の機能をそれぞれ提供するＣＰＵを含むことを特徴とする盗聴器発見装置。
【請求項３】
請求項２記載の盗聴器発見装置において、前記ＣＰＵは、これら多数個のスイッチを操作することにより、ボイス発生装置へ伝送する音声エンコード信号、ボイス発生装置へ伝送する音量制御信号、デコード識別装置へ伝送する周波数切換信号を発することを特徴とする盗聴器発見装置。
【請求項４】
請求項３記載の盗聴器発見装置において、前記ボイス発生装置は、音声信号発生器、音声増幅器、及びスピーカーを含むことを特徴とする盗聴器発見装置。
【請求項５】
請求項４記載の盗聴器発見装置において、前記音声信号発生器は、ＣＰＵに連接し、音声エンコード信号を受信して特定ボイス信号を発し、音声増幅器は音声信号発生器とＣＰＵにそれぞれ連接し、音声増幅器は音量制御信号で音声信号発生器が発した特定ボイス信号を増幅するゲインコントローラーを含み、スピーカーは音声増幅器に電気連接し、且つ上述の特定ボイス信号に基づき、相対応するボイスを発することを特徴とする盗聴器発見装置。
【請求項６】
請求項５記載の盗聴器発見装置において、前記デコード識別装置は、ブロードバンド無線レシーバー、及び音声デコーダーを含むことを特徴とする盗聴器発見装置。
【請求項７】
請求項６記載の盗聴器発見装置において、前記ブロードバンド無線レシーバーは、ＣＰＵに連接して周波数切換信号を受信し、少なくとも一受信周波数を切り換えることによって無線信号を受信し、音声デコーダーはブロードバンド無線レシーバーとＣＰＵに各々連接し、音声デコーダーが無線信号を受信してデコードを行い、デコードボイス信号を取得し、ＣＰＵへ伝送することを特徴とする盗聴器発見装置。
【請求項８】
請求項２記載の盗聴器発見装置において、前記ＣＰＵは、デコードボイス信号が音声エンコード信号に対応しているか否かを判断し、もしも対応している時には無線信号が受信した強度に基づき、多数個の発光ダイオードの発光数量もしくは輝度を制御することを特徴とする盗聴器発見装置。
【発明の詳細な説明】
【技術分野】
【０００１】
本発明は、盗聴器発見装置に関するもので、盗聴器の存在有無を正確にモニタリングするものである。
【背景技術】
【０００２】
諜報活動に於いて、通常部屋の中に盗聴器を隠して設置し、機密を盗む。この盗聴器は音声信号を受信し、且つ搬送波を変調した後、ＲＦ信号の形式で送信し、その他の場所のレシーバーが受信する。
【０００３】
前述の盗聴器は通常相当に小さいサイズであるため、隠しやすい。そのため、実際に盗聴器の設置された場所を見つけ出すのは大変困難である。別に示す方法は、図１の公知の盗聴器をモニタリングする概略図で、音声レシーバー１(Audio receiver)を盗聴器発見装置とし、盗聴器２が発射するＲＦ信号を探し出すことにより、周囲に盗聴器があるかどうかを判断する。 
【発明の開示】
【発明が解決しようとする課題】
【０００４】
本発明は、盗聴器発見装置を提供し、隠蔽された盗聴器をモニタリングするもので、ボイス発生装置、デコード識別装置、及び制御装置を含む。そのうち、ボイス発生装置は、特定ボイス信号を発し、盗聴器のマイクがそれを受信し、盗聴器の無線発信機が対応する無線信号を発する。デコード識別装置は無線信号を受信し、無線信号に対してデコードを行い、デコードボイス信号を取得する。制御装置は、ボイス発生装置及びデコード識別装置に各々連接し、ボイス発生装置が発した特定ボイス信号を規定し、またデコード識別装置が発したデコードボイス信号が特定ボイス信号に対応するか否かを判断し、盗聴器の存在の有無を決定する。
【０００５】
制御装置は、表示及びタッチキー入力ユニットを含み、それは多数個のスイッチ及び多数個の発光ダイオードを含む。そのうち、多数個のスイッチは設定が異なるスイッチ状態で盗聴器発見装置の使用方式を制御し、多数個の発光ダイオードは表示が異なる状態で盗聴器発見装置の使用方式を表示する。更にＣＰＵはボイス発生装置、表示及びタッチキー入力ユニット、及びデコード識別装置に各々連接し、ボイス制御出力、表示制御と入力切替、及び受信制御とデーター入力の機能をそれぞれ提供する。
【０００６】
ＣＰＵは多数個のスイッチ操作により、ボイス発生装置へ伝送するボイスデコード信号、ボイス発生装置へ伝送する音量制御信号、デコード識別装置へ伝送する周波数切換信号を発する。
【０００７】
ボイス発生装置は、音声信号発生器、音声増幅器及びスピーカーを含む。音声信号発生器はＣＰＵに連接し、音声エンコード信号を受信し特定ボイス信号を発する。音声増幅器は音声信号発生器とＣＰＵに連接し、音量制御信号を受信して特定ボイス信号を増幅する。スピーカーは音声増幅器に電気連接し、且つ上述の特定ボイス信号に基づき、相対応するボイスを発する。
【０００８】
デコード識別装置は、ブロードバンド無線レシーバー、及び音声デコーダーを含む。ブロードバンド無線レシーバーはＣＰＵに連接して周波数切換信号を受信し、少なくとも一受信周波数を切り換えることによって無線信号を受信する。音声デコーダーはブロードバンド無線レシーバーとＣＰＵにそれぞれ連接し、音声デコーダーが無線信号を受信してデコードを行い、デコードボイス信号を取得してＣＰＵに伝送する。
【０００９】
ＣＰＵは、デコードボイス信号に音声エンコード信号が対応するか否かを判断する。もし対応する時には無線信号の受信した強度に基づき、多数個の発光ダイオードの発光数量もしくは輝度を制御する。
【００１０】
上述に基づき、本発明は盗聴器発見装置を提供し、公知の盗聴器発見装置と比較して特定ボイス信号を識別する機能が更に増え、ユーザーが声を発する必要がなく、ボイス発生装置が発した特定ボイス信号だけによって、盗聴器は特定ボイス信号が発した相対応する無線信号を受信し、続いてデコード識別装置が無線信号を受信してデコードボイス信号をデコードし、制御装置によって対応する特定ボイス信号の有無を対比し、一般ノイズに依る判断ミスを排除し、盗聴器の発見率を更に高める。
【課題を解決するための手段】
【００１１】
請求項１の発明は、隠蔽された盗聴器をモニタリングする盗聴器発見装置において、
特定ボイス信号を発し、盗聴器のマイクの受信によって、盗聴器の無線発信機が相対応する無線信号を発するボイス発生装置と、
無線信号を受信し、その無線信号に対してデコードを行い、デコードボイス信号を取得するデコード識別装置と、
ボイス発生装置及びデコード識別装置にそれぞれ連接し、ボイス発生装置で発した特定ボイス信号を規定し、デコード識別装置が発したデコードボイス信号が特定ボイス信号に対応するか否かを判断し、盗聴器の存在有無を決定する制御装置を含むことを特徴とする盗聴器発見装置としている。
請求項２の発明は、請求項１記載の盗聴器発見装置において、前記制御装置は、多数個のスイッチ及び多数個の発光ダイオードを含み、これら多数個のスイッチは設定の異なるスイッチ状態で盗聴器発見装置の使用方式を制御し、これら多数個の発光ダイオードは異なる表示状態で盗聴器発見装置の使用方式を表示する表示及びタッチキー入力ユニットと、
ボイス発生装置、表示及びタッチキー入力ユニットにそれぞれ連接し、ボイス制御出力、表示制御と入力切替、及び受信制御とデーター入力の機能をそれぞれ提供するＣＰＵを含むことを特徴とする盗聴器発見装置としている。
請求項３の発明は、請求項２記載の盗聴器発見装置において、前記ＣＰＵは、これら多数個のスイッチを操作することにより、ボイス発生装置へ伝送する音声エンコード信号、ボイス発生装置へ伝送する音量制御信号、デコード識別装置へ伝送する周波数切換信号を発することを特徴とする盗聴器発見装置としている。
請求項４の発明は、請求項３記載の盗聴器発見装置において、前記ボイス発生装置は、音声信号発生器、音声増幅器、及びスピーカーを含むことを特徴とする盗聴器発見装置としている。
請求項５の発明は、請求項４記載の盗聴器発見装置において、前記音声信号発生器は、ＣＰＵに連接し、音声エンコード信号を受信して特定ボイス信号を発し、音声増幅器は音声信号発生器とＣＰＵにそれぞれ連接し、音声増幅器は音量制御信号で音声信号発生器が発した特定ボイス信号を増幅するゲインコントローラーを含み、スピーカーは音声増幅器に電気連接し、且つ上述の特定ボイス信号に基づき、相対応するボイスを発することを特徴とする盗聴器発見装置としている。
請求項６の発明は、請求項５記載の盗聴器発見装置において、前記デコード識別装置は、ブロードバンド無線レシーバー、及び音声デコーダーを含むことを特徴とする盗聴器発見装置としている。
請求項７の発明は、請求項６記載の盗聴器発見装置において、前記ブロードバンド無線レシーバーは、ＣＰＵに連接して周波数切換信号を受信し、少なくとも一受信周波数を切り換えることによって無線信号を受信し、音声デコーダーはブロードバンド無線レシーバーとＣＰＵに各々連接し、音声デコーダーが無線信号を受信してデコードを行い、デコードボイス信号を取得し、ＣＰＵへ伝送することを特徴とする盗聴器発見装置としている。
請求項８の発明は、請求項２記載の盗聴器発見装置において、前記ＣＰＵは、デコードボイス信号が音声エンコード信号に対応しているか否かを判断し、もしも対応している時には無線信号が受信した強度に基づき、多数個の発光ダイオードの発光数量もしくは輝度を制御することを特徴とする盗聴器発見装置としている。
【発明の効果】
【００１２】
本発明の盗聴器発見装置は、特定ボイス信号を識別する機能が更に増え、ユーザーが声を発する必要がなく、且つ一般ノイズのミスを排除し、盗聴器の発見率を更に高めるという利点がある。
【発明を実施するための最良の形態】
【００１３】
図２は、本発明の盗聴器発見装置のシステム構成図である。図２に示すとおり、本発明の盗聴器発見装置は、隠蔽した盗聴器２４をモニタリングするもので、ボイス発生装置２１、デコード識別装置２２及び制御装置２３を含む。そのうちボイス発生装置２１は特定ボイス信号を発し、盗聴器２４のマイク２４１がそれを受信し、盗聴器２４の無線発信機は相対応する無線信号を発し、デコード識別装置２２が無線信号を受信し、無線信号に対してデコードし、デコードボイス信号を受ける。制御装置２３はボイス発生装置２１及びデコード識別装置２２にそれぞれ連接し、ボイス発生装置２１によって発生した特定ボイス信号を規定し、デコード識別装置２２が発したデコードボイス信号に特定ボイス信号が対応しているか否かを判断し、盗聴器２４の存在有無を決定する。
【００１４】
前述の制御装置２３は、ＣＰＵ２３１、表示及びタッチキー入力ユニット２３２を含む。ＣＰＵ２３１はボイス発生装置２１、表示及びタッチキー入力ユニット２３２、及びデコード識別装置２２にそれぞれ連接し、音声制御出力、表示制御と入力切替、及び受信制御とデーター入力の機能を提供する。図３を合わせて参照するところによると、表示及びタッチキー入力ユニット２３２は、多数個のスイッチ２３２１、及び多数個の発光ダイオード２３２２を含み、多数個のスイッチ２３２１は設定が異なるスイッチ状態で、ＣＰＵ２３１に読み取らせて盗聴器発見装置の使用方式を制御する。多数個の発光ダイオード２３２２は表示が異なる状態で、盗聴器発見装置の操作状態を表示する。また即ちＣＰＵ２３１は、多数個のスイッチ２３２１が設定した状態に基づき、ボイス発生装置２１へ伝送して特定ボイス信号の周波数を決定する音声エンコード信号、ボイス発生装置２１へ伝送して特定ボイス信号の音量を制御する音量制御信号、及びデコード識別装置２２へ伝送してその受信した周波数を切り換える周波数切換信号を発する。そのうち、音声エンコード信号、音量制御信号及び周波数切換信号は４ビットの信号とする。
【００１５】
図４は、本発明のボイス発生装置２１の構成図である。ボイス発生装置２１は、音声信号発生器２１１、音声増幅器２１２及びスピーカー２１３を含む。音声信号発生器２１１はＤ０、Ｄ１、Ｄ２、Ｄ３ピンを具えてＣＰＵ２３１に連接し、音声エンコード信号を受信する。更にその音声エンコード信号に基づき、特定ボイス信号を発生する。音声増幅器２１２は増幅の倍率を制御するゲインコントローラー２１２１を含み、そのゲインコントローラー２１２１はＧ０，Ｇ１、Ｇ２、Ｇ３ピンを具え、ＣＰＵ２３１が送った音量制御信号を受信して増幅の倍率を制御する。音声増幅器２１２は音声信号発生器２１１に連接して受信した特定ボイス信号を増幅する。スピーカー２１３は音声増幅器に連接し、且つ上述の増幅した特定ボイス信号に基づき、相対応するボイスを発する。
【００１６】
図５は、本発明のデコード識別装置２２の回路構成図で、ブロードバンド無線レシーバー２２１及び音声デコーダー２２２を含む。前述のブロードバンド無線レシーバー２２１は、ＣＰＵ２３１及び音声デコーダー２２２にそれぞれ連接する。ブロードバンド無線レシーバー２２１はアンテナ２２１１、アンテナ２２１１に連接する低ノイズ増幅器２２１２、低ノイズ増幅器２２１２に連接するミキサー２２１３、ミキサー２２１３に連接する中間周波数増幅器２２１５、及び中間周波数増幅器２２１５と音声デコーダー２２２に各々連接するフィルター２２１６を含む。そのうち、電圧制御発振器２２１４はＶ０，Ｖ１、Ｖ２、Ｖ３ピンを具えてＣＰＵ２３１が伝送した周波数切換信号を受信し、周波数切換信号が発した発振周波数に基づき、ミキサー２２１３が発振周波数によって無線信号を中間周波信号に下げる。上述のとおり、ブロードバンド無線レシーバー２２１は周波数切換信号に基づき無線信号をスキャンする。無線信号はアンテナ２２１１で受信され、低ノイズ増幅器２２１２で増幅してミキサー２２１３へ送り、ミキサー２２１３は電圧制御発振器２２１４が発した少なくとも発振周波数を受信し、無線信号を中間周波に下げる。周波を下げた無線信号は、中間周波数増幅器２２１５を経て増幅し、続いてフィルター２２１６でノイズ信号をろ過して音声デコーダー２２２へ伝送する。
【００１７】
音声デコーダー２２２は、周波数/ボイス検出器２２２１及びデコーダー２２２２を含む。そのうち、周波数/ボイス検出器２２２１はフィルター２２１６及びデコーダー２２２２、ｄ０、ｄ１、ｄ２、ｄ３ピンを具えたデコーダー２２２２に連接したＣＰＵ２３１に各々連接する。周波数/ボイス検出器２２２１が中間周波に下げた無線信号を受信してボイス信号を解析し、続いてデコーダー２２２２へ送ってデコードし、４ビットのデコードボイス信号を取得してｄ０、ｄ１、ｄ２、ｄ３ピンを経てＣＰＵ２３１へ伝送する。ＣＰＵ２３１はデコードボイス信号が音声エンコード信号に対応するか否かを判断し、もしも対応すれば発した特定ボイス信号は盗聴器が受信し、その盗聴器が対応した無線信号を発したことが確かであると判断できる。これによって盗聴器の存在を確認でき、且つ無線信号の受け取った強度に基づき、多数個の発光ダイオード２３２２の発光数量及び輝度を制御する。
【００１８】
使用の際、先ずユーザーは多数個のスイッチ２３２１を操作し、ＣＰＵ２３１は、音声信号発生器２１１で特定ボイス信号を発生する音声エンコード信号を発する。続いて音量制御信号を大に調節して音声増幅器２１２へ伝送し特定ボイス信号を増幅し、そしてスピーカー２１３からボイスを発し続けて大きな範囲でのモニタリングを行う。
【００１９】
盗聴器２４の存在が確認された時には、デコード識別装置２２が特定ボイス信号をデコードでき、制御装置２３が多数個の発光ダイオード２３２２を発光させて盗聴器の存在をモニタリングし、盗聴器の位置を確認する。ユーザーは音量制御信号を小に調節して受信した無線信号の強度を下げ、盗聴器発見装置の位置を移動し、受信した無線信号の強度が再び強くなった時、もう度音量制御信号を小に調節して受信した無線信号の強度を下げる。そして盗聴器発見装置の位置を移動し、上述のステップを何度も重ねて盗聴器の所在位置を狭めて隠された盗聴器を探し出す。
【００２０】
上述に述べたとおり、本発明は盗聴器発見装置を提供し、公知の盗聴器発見装置と比較してより特定ボイス信号を識別する。またユーザーは声を発する必要がなく、ただ制御装置２３を操作してボイス発生装置２１が発した特定のボイス信号を制御する。盗聴器２４が特定ボイス信号を受信して相対応の無線信号を発し、続いてデコード識別装置が無線信号を受信してボイス信号をデコードし、制御装置２３によって特定ボイス信号が対応するか否かを比較し、一般ノイズに依る判断ミスを排除し、盗聴器の存在の確率を依り高める。
【図面の簡単な説明】
【００２１】
【図１】公知の盗聴器をモニタリングする概略図である。
【図２】本発明の盗聴器発見装置のシステム構成図である。
【図３】本発明の制御装置の回路構成図である。
【図４】本発明のボイス発生装置の回路構成図である。
【図５】本発明のデコード識別装置の回路構成図である。
【符号の説明】
【００２２】
１        音声レシーバー
２        盗聴器
２１      ボイス発生装置
２１１    音声信号発生器
２１２    音声増幅器
２１２１  ゲインコントローラー
２１３    スピーカー
２２      デコード識別装置
２２１    ブロードバンド無線レシーバー
２２１１  アンテナ
２２１２  低ノイズ増幅器
２２１３  ミキサー
２２１４  電圧制御発振器
２２１５  中間周波数増幅器
２２１６  フィルター
２２２    音声デコーダー
２２２１  周波数/ボイス検出器
２２２２  デコーダー
２３      制御装置
２３１    ＣＰＵ
２３２    表示及びタッチキー入力ユニット
２３２１  スイッチ
２３２２  発光ダイオード
Ｄ０、Ｄ１、Ｄ２、Ｄ３、ｄ０、ｄ１、ｄ２、ｄ３、Ｇ０、Ｇ１、Ｇ２、Ｇ３、Ｖ０、Ｖ１、Ｖ２、Ｖ３  ピン
２４      盗聴器
２４１    マイク
３        ユーザー
【図１】
2008228263.tif 000003
【図２】
2008228263.tif 000004
【図３】
2008228263.tif 000005
【図４】
2008228263.tif 000006
【図５】
2008228263.tif 000007